(57)【要約】      （修正有）【課題】災害時の避難場所である公園等の公共施設に常設可能であって、メーカーが異なる複数の携帯電話機にも充電可能な充電用独立電源を提供する。【解決手段】戸外に設置可能な筐体２と、太陽光を受光して直流電力を発生する太陽電池パネル３とが別体に設けられ、前記筐体２の内部には、前記太陽電池パネル３の直流電力を充電制御手段４を介して蓄電するバッテリ５と、該バッテリ５の直流電力を交流電力に変換するインバータ６とが設けられ、さらに該インバータ６に接続した携帯電話機用充電器から異種タイプの複数の携帯電話用接続コネクタが前記筐体２の外部に導かれてなるものである。【選択図】図１
0003139032.tif 000002
【実用新案登録請求の範囲】
【請求項１】
戸外に設置可能な筐体と、太陽光を受光して直流電力を発生する太陽電池パネルとが別体に設けられ、前記筐体の内部には、前記太陽電池パネルの直流電力を充電制御手段を介して蓄電するバッテリと、該バッテリの直流電力を交流電力に変換するインバータとが設けられ、該インバータに接続した携帯電話機用充電器から異種タイプの複数の携帯電話用接続コネクタが前記筐体の外部に導かれてなることを特徴とする充電用独立電源。
【請求項２】
前記太陽電池パネルにパネル面を傾斜状に支持する脚部が設けられ、前記太陽電池パネルが前記脚部を介して前記筐体の上部に固定されることにより、前記太陽電池パネルが前記筐体と合体されたことを特徴とする請求項１記載の充電用独立電源。
【請求項３】
前記太陽電池パネルに設けられた脚部を介して、前記太陽電池パネルが日照の良好な箇所に設置されるようにしたことを特徴とする請求項１又は２記載の充電用独立電源。
【請求項４】
筐体の上部において太陽電池パネルが傾斜状に組み込まれ、前記筐体の内部には、前記太陽電池パネルの直流電力を充電制御手段を介して蓄電するバッテリと、該バッテリの直流電力を交流電力に変換するインバータとが設けられ、該インバータに接続した携帯電話機用充電器から複数の異種タイプの携帯電話用接続コネクタが前記筐体の外部に導かれてなることを特徴とする充電用独立電源。
【請求項５】
前記太陽電池パネルは前記筐体に固設された状態で折り畳み可能に設けられたことによって前記太陽電池パネルの受光面積を広く確保するようにしたことを特徴とする請求項４記載の充電用独立電源。
【考案の詳細な説明】
【技術分野】
【０００１】
本考案は、例えば、災害時の避難場所に指定された公園等において、携帯電話機への電源供給を行うことができる充電用独立電源に関する。
【背景技術】
【０００２】
携帯電話機に対する従来の充電方法としては、家庭用電源に接続コネクタを介して携帯電話機を接続することにより行う方法が最も一般的である。ところで、携帯電話機の充電用接続コネクタは、周知の通り、各メーカによって規格が異なるため、専用の充電器が必要とされている。また、携帯電話機に内蔵されているバッテリは、小型に構成されているため、１回のフル充電で１日乃至２日程度で消耗し切ってしまうのが現状である。
【０００３】
ところで、携帯電話機に対する依存度は高まる一方であり、例えば、災害時における救助の要請、或いは家族同士で互いに連絡を取りあう場合等に、極めて重要な役割を果たすことが期待されている。従って、そのような事態に備え、携帯電話機は常時携行することが望ましいが、専用充電器を携行することは稀であり、停電等の事態に遭遇すれば、家庭用電源による充電器の使用も不可能になるため、災害避難時においては、各人が所持している携帯電話機の充電量をどのように確保するかが重要な問題となる。
【０００４】
そこで、携帯電話機の充電器に関する従来技術を参照すると、特許文献１に記載されている考案「太陽電池付き携帯電話機用充電器」は、太陽電池を設けた携帯型直流充電器によって携帯電話機に電源を供給するようにした構成が記載されている。
【０００５】
ところが、この文献の携帯電話機用充電器は、携行可能となるように小型に形成されているため、接続コネクタを１個設けるのが限度である。従って、この充電器に設けられたコネクタはいずれかのメーカ専用のものとなり、他メーカのコネクタを接続することは不可能となる。また、携帯型直流充電器の本体に設けられている太陽電池パネルは、その設置面積が制限されていることから極めて小型であって、蓄電量を十分に確保することができないという不都合が生じる。
【特許文献１】特開２００１−３２７０９８号公報
【考案の開示】
【考案が解決しようとする課題】
【０００６】
上記のように、特許文献１に記載されている充電器は、個人が携行するタイプのものであるが、それを常時携行することは、一般的に期待できるものではない。従って、他の方法によって、災害時における携帯電話機用の充電方法を確保する必要が生じる。
【０００７】
そこで、本考案者が着目したのが、災害時の緊急避難場所として各地域で指定されている公園の存在であり、そのような公園に常設されているトイレ等の建物を利用して、携帯電話機の充電サービスを提供するという手段である。
【０００８】
本考案は上記の事情に鑑みてなされたもので、災害時の避難場所である公園等の公共施設に常設可能であって、メーカーが異なる複数の携帯電話機にも充電可能な充電用独立電源を提供することを目的とする。
【課題を解決するための手段】
【０００９】
上記の目的を達成するために、本考案の請求項１に記載された充電用独立電源は、戸外に設置可能な筐体と、太陽光を受光して直流電力を発生する太陽電池パネルとが別体に設けられ、前記筐体の内部には、前記太陽電池パネルの直流電力を充電制御手段を介して蓄電するバッテリと、該バッテリの直流電力を交流電力に変換するインバータとが設けられ、該インバータに接続した携帯電話機用充電器から異種タイプの複数の携帯電話用接続コネクタが前記筐体の外部に導かれてなることを特徴とする。
【００１０】
また、本考案の請求項２の充電用独立電源は、請求項１において、前記太陽電池パネルにパネル面を傾斜状に支持する脚部が設けられ、前記太陽電池パネルが前記脚部を介して前記筐体の上部に固定されることにより、前記太陽電池パネルが前記筐体と合体されたことを特徴とする。
【００１１】
また、本考案の請求項３の充電用独立電源は、請求項１又は２において、前記太陽電池パネルに設けられた脚部を介して、前記太陽電池パネルが日照の良好な箇所に設置されるようにしたことを特徴とする。
【００１２】
さらに、本考案の請求項４の充電用独立電源は、筐体の上部において太陽電池パネルが傾斜状に組み込まれ、前記筐体の内部には、前記太陽電池パネルの直流電力を充電制御手段を介して蓄電するバッテリと、該バッテリの直流電力を交流電力に変換するインバータとが設けられ、該インバータに接続した携帯電話機用充電器から複数の異種タイプの携帯電話用接続コネクタが前記筐体の外部に導かれてなることを特徴とする。
【００１３】
また、本考案の請求項５の充電用独立電源は、請求項４において、前記太陽電池パネルは前記筐体に固設された状態で折り畳み可能に設けられたことによって前記太陽電池パネルの受光面積を広く確保するようにしたことを特徴とする。
【考案の効果】
【００１４】
本考案による充電用独立電源においては、太陽電池パネルの受光によってバッテリに蓄電された電源がインバータによって交流電源に変換されると共に、インバータに接続された携帯電話機用充電器から異種タイプの複数の携帯電話用接続コネクタが筐体の外部に導かれてなることにより、この充電用独立電源を公園等の公共施設等に設置することにより、災害時だけではなく、例えば公共施設における日常のサービスとして、太陽光による蓄電された電源をメーカーの異なる種々の携帯電話機に供給することが可能となる。
【００１５】
このような本考案の充電用独立電源において、筐体は戸外に設置可能であり、太陽電池パネルに脚部を設けることにより、この脚部を介して太陽電池パネルを公園の公共施設であるトイレ等の屋上や軒下等の日照の良好な箇所に設置することが可能となる。
【００１６】
さらに、本考案においては、太陽電池パネルに該パネル面を傾斜状に支持する脚部が設けられ、この脚部を介して太陽電池パネルを筐体の上部に固定することにより、太陽電池パネルと筐体とが一体的に合体された構成となり、移動及び設置に利便となる。また、この太陽電池パネルと筐体とからなる充電用独立電源の設置状態において、パネル面が傾斜状に設けられたことにより、太陽の照射を効率的に受けることが可能となる。
【００１７】
さらに、本考案においては、筐体の上部において太陽電池パネルが傾斜状に組み込まれた構成とされることにより、筐体と太陽電池パネルとが一体型の構成となり、移動や設置を簡単に行うことができるため、例えば家庭用電源を供給できない河川や山岳等に本考案の充電用独立電源を携行することにより、太陽光の利用によって携帯電話機への電源供給を行うことが可能となる。
【考案を実施するための最良の形態】
【００１８】
本考案の実施例について図面を参照しながら説明する。
【実施例１】
【００１９】
本実施例における充電用独立電源１は、戸外に設置可能な筐体２と太陽電池パネル３とが別体に設けられてなるものである。図１に示すように、筐体２の内部には、太陽電池パネル３の直流電力を充電制御手段４を介して蓄電するバッテリ５と、該バッテリ５の直流電力を交流電力に変換するインバータ６とが設けられ、さらにインバータ６に接続した携帯電話機用充電器７から異種タイプの複数（本実施例においては４個）の携帯電話機用接続コネクタ８ａ、８ｂ、８ｃ、８ｄが筐体２の外部に導かれてなる構成とされている。
【００２０】
このような構成についてより詳細に述べると、図１に示す太陽電池パネル３は、周知の通りＰＶパネルと称せられるものであり、単結晶シリコン又は多結晶シリコンによる複数のセル３ａ、３ａ…で形成され、夫々のセル３ａ、３ａ…に太陽光が当たることにより、光電変換によって直流の電気が発生する構成とされている。本実施例においては、このような太陽電池パネル３の下部にアングル材等による脚部９が設けられ、太陽電池パネル３のパネル面が太陽の照射を効率的に受けられるように傾斜状に支持されている。
【００２１】
また、図１に示すように、筐体２は金属製或いは合成樹脂製等によって形成され、その上部には複数の携帯電話機１０ａ、１０ｂ…を並設するように開放された携帯電話機設置室１１が設けられ、その携帯電話機設置室１１の横方には携帯電話機用充電器７（図２参照）を収納する収納ケース１２が設けられている。また、上記の携帯電話機設置室１１及び収納ケース１２の下部には、上記の充電制御手段４とバッテリ５とインバータ６とが所定位置に固設された収納室１３が設けられ、該収納室１３の前面には、風雨の浸入を防止できるように蓋体１４が開閉自在に設けられ、この蓋体１４には盗難や悪戯を防止するように施錠１５が設けられている。
【００２２】
上記の構成において、図２の概略構成図に示すように、複数の太陽電池セル３ａ、３ａ…で構成した太陽電池パネル３は、太陽光を受光することにより、シリコン半導体の光電変換によって直流電力を発生し、この直流電力は充電制御手段４を介してバッテリ５に供給され、蓄電される。また、バッテリ５の直流出力はインバータ６に供給され、このインバータ６でバッテリ５の直流電力を交流電力に変換して、携帯電話機用充電器７に供給することとなる。
【００２３】
この携帯電話機用充電器７の内部構成は不図示であるが、例えば、交流−直流変換手段、充電制御手段等からなり、交流−直流変換手段から供給された直流電圧が充電制御手段に接続された充電電圧供給用端子に出力され、携帯電話機の電池ユニットを充電する充電電圧として供給される構成とされている。
【００２４】
さらに、本実施例においては、上記の携帯電話機用充電器７における充電電圧供給用端子に、携帯電話機１０ａ、１０ｂ…の製造メーカーごとに異なる複数の異種タイプの携帯電話用接続コネクタ８ａ、８ｂ、８ｃ、８ｄが接続され、各接続コネクタ８ａ、８ｂ、８ｃ、８ｄが筐体２の外部である携帯電話機設置室１１に導かれた構成とされている。
【００２５】
なお、本実施例においては、４個の異種タイプの携帯電話用接続コネクタ８ａ、８ｂ、８ｃ、８ｄが接続された構成とされているが、これに限定されるものではなく、それよりも少ないか、又は多くの携帯電話用接続コネクタを接続してもよい。
【００２６】
上記の構成により、携帯電話機の所持者は、各自の携帯電話機１０ａ、１０ｂ…を携帯電話機設置室１１に設置して携帯電話機の充電用コネクタ（不図示）を上記の適合する携帯電話用接続コネクタ８ａ、８ｂ、８ｃ、８ｄに接続することにより、各自の携帯電話機１０ａ、１０ｂ…に電源を供給することが可能となる。
【００２７】
また、本実施例においては、図３に示すように、上記の太陽電池パネル３に設けられた脚部９を介して筐体２の上部に固定することにより、太陽電池パネル３と筐体２とが一体的に合体された構成となり、これらの太陽電池パネル３と筐体２とからなる充電用独立電源１を移動したり、設置するのに利便となる。この太陽電池パネル３と筐体２との設置状態においては、パネル面が傾斜状に設けられたことによって、太陽の照射を効率的に受けることが可能となる。
【００２８】
また、図４に示すように、太陽電池パネル３に設けられた脚部９を介して、太陽電池パネル３が戸外のように日照の良好な箇所に設置されるようにすることも可能であり、公園のトイレ等の屋上１６や軒下等に設置することも可能である。
【実施例２】
【００２９】
さらに、本実施例においては、図５に示すように、小型の筐体２の上部に太陽電池パネル３が傾斜状に組み込まれた構成とすることによって、筐体２と太陽電池パネル３とが一体的になる小型充電用独立電源１を構成することができる。
【００３０】
このような構成において、筐体２の内部構成は、上記と同様に、太陽電池パネル３の直流電力を充電制御手段４を介して蓄電するバッテリ５と、該バッテリ５の直流電力を交流電力に変換するインバータ６とが設けられ、さらに該インバータ６に接続した携帯電話機用充電器７から複数の異種タイプの携帯電話用接続コネクタ８ａ、８ｂ…（図５には不図示）が筐体２の外部に導かれてなるものである。
【００３１】
なお、図５に示す充電用独立電源１においては、筐体２の側部に開閉蓋１９が設けられ、この開閉蓋１９を開けることによって、複数の異種タイプの携帯電話用接続コネクタを露呈して、各自の携帯電話機を接続するようにしている。また、筐体２の下部に所定数のキャスタ１８、１８…を設けることによって移動の際の利便性を向上するようにしている。
【００３２】
また、このような構成において、小型の筐体２に固設された太陽電池パネル３Ｂに対してヒンジ１７等で連結した別体の太陽電池パネル３Ｃを折り畳み可能に設けることにより、太陽電池パネル３の受光面積を広く確保することを可能としている。
【００３３】
上記の本実施例による充電用独立電源１によれば、筐体２と太陽電池パネル３とが一体的に構成された小型タイプとされているため、家庭用電源を供給できない河川や山岳等においても、太陽光を利用した充電用独立電源１により、携帯電話機への電源供給を行うことが可能となる。
【産業上の利用可能性】
【００３４】
本考案の充電用独立電源は、災害時の避難場所である公園等の公共施設、さらには街角の公園施設や建造物等にも常設可能であり、災害時だけではなく、公園等の公共施設における日常のサービスとして、メーカーが異なる携帯電話機にも充電可能な充電用独立電源として利用することが可能である。
【図面の簡単な説明】
【００３５】
【図１】本考案の実施例１に係る図であり、太陽電池パネルと筐体とが別体に構成された状況を示す斜視図である。
【図２】本考案による充電用独立電源の構成について示す概略図である。
【図３】本考案の実施例１に係る図であり、充電用独立電源の筐体の上部に太陽電池パネルを固定した状態を示す斜視図である。
【図４】本考案の実施例１に係る図であり、太陽電池パネルを公園のトイレ等の屋上に固定した状態を示す斜視図である。
【図５】本考案の実施例２に係る図であり、太陽電池パネルを筐体の上部に組み込むことによって一体的に構成した斜視図である。
【符号の説明】
【００３６】
１  充電用独立電源
２  筐体
３  太陽電池パネル
３ａ  太陽電池セル
３Ｂ  太陽電池パネル
３Ｃ  別体の太陽電池パネル
４  充電制御手段
５  バッテリ
６  インバータ
７  携帯電話機用充電器
８ａ、８ｂ、８ｃ、８ｄ  接続コネクタ
９  脚部
１０ａ、１０ｂ、１０ｃ  携帯電話機
１１  携帯電話機設置室
１２  収納ケース
１３  収納室
１４  蓋体
１５  施錠
１６  屋上
１７  ヒンジ
１８  キャスタ
１９  開閉蓋
【図１】
0003139032.tif 000003
【図２】
0003139032.tif 000004
【図３】
0003139032.tif 000005
【図４】
0003139032.tif 000006
【図５】
0003139032.tif 000007